(57)【要約】【課題】焦点検出時のＬＥＤ点灯状態に関わらず安定した露出制御をおこなう。【解決手段】外部ＳＷ（１）等の操作によりＬＥＤ（２）の点灯／消灯を制御するＬＥＤ制御部（４）と自動焦点制御を行う自動焦点制御部（９）と、自動露出制御を行う自動露出制御部（１２）と、自動焦点制御時にＬＥＤの点灯／消灯を検知するＬＥＤ点灯状態検知手段（４，２１）と自動焦点制御部により、被写体に合焦した際に測光をおこない、前記測光値を撮影時まで保持させ、その測光値により撮影時の露出制御をおこなう測光モードを備え、前記測光モードで撮影を行う場合は、撮像直前における測光タイミングのＬＥＤの点灯状態と合焦時のＬＥＤの点灯状態が異なる場合は、再測光をおこない、前記再測光にもとづく露出条件で撮像を行い、又、撮像直前における測光タイミングのＬＥＤの点灯状態と合焦時のＬＥＤの点灯状態が同じである場合は、合焦時の測光値の露出条件で撮影をおこなうことを特徴とする。【選択図】図１
2017125981.tif 000002
【特許請求の範囲】
【請求項１】
外部ＳＷ（３）の操作によりＬＥＤ（２）の点灯／消灯を制御するＬＥＤ制御部（４）と自動焦点制御を行う自動焦点制御部（９）と、自動露出制御を行う自動露出制御部（１２）と、
自動焦点制御時にＬＥＤの点灯／消灯を検知するＬＥＤ点灯状態検知手段（４，２１）と自動焦点制御部により、被写体に合焦した際に測光をおこない、前記測光値を撮影時まで保持させ、その測光値により撮影時の露出制御をおこなう測光モードを備え、
前記測光モードで撮影を行う場合は、撮像直前における測光タイミングのＬＥＤの点灯状態と合焦時のＬＥＤの点灯状態が異なる場合は、再測光をおこない、前記再測光にもとづく露出条件で撮像を行い、又、撮像直前における測光タイミングのＬＥＤの点灯状態と合焦時のＬＥＤの点灯状態が同じである場合は、合焦時の測光値の露出条件で撮影をおこなうことを特徴とする露出制御装置（図１）。
【発明の詳細な説明】
【技術分野】
【０００１】
本発明は、デジタル一眼レフカメラにおけるマクロ撮影時に発生するレンズの影に対して、影の影響を無くす為にＬＥＤ照明をレンズ側に装着した構成において、露出ムラの少なくなるような露出制御に関する。
【背景技術】
【０００２】
昨今のデジタルスチルカメラや、カメラ機能付き携帯電話においては、ＬＥＤ素子の高輝度化に伴い、カメラのフラッシュ撮影時のフラッシュ用のデバイスとしてＬＥＤを用いる製品が増えてきた。
【０００３】
又、昨今のＬＥＤ素子の特徴としては、比較的高輝度な光量を連続的に発光し続けることが可能である為、静止画撮影用のフラッシュだけでなく、ビデオ撮影時の補助光や、マクロストロボ用のフォーカシングランプとしても活用されている。
【０００４】
例えば、フォーカス用の補助光として、ＬＥＤ照明を使用する場合には、露出制御については点灯タイミングと測光タイミングの関係に注意して制御を行う必要がある。例えば、フォーカス動作を行い合焦時の測光値をロックして撮影する露出制御モードにおいては、ＬＥＤ照明を点灯した状態でフォーカスをおこない、撮影時にはＬＥＤ照明を消灯して撮影をおこなうと、ＬＥＤ照明が点灯している状態で測光値をロックしてしまう為、撮影時にＬＥＤ照明を消灯して撮影を行うと、その分、露出がアンダーな状態で撮影が行われてしまう。
【０００５】
この問題を回避する方法として、特許文献１があげられる。特許文献１では、露出を固定する撮影モードの場合、被写体輝度にもとづいて測光するタイミングと撮影をおこなうタイミングではＬＥＤの点灯状態を変更しないような制御をとることを特徴としており、ＬＥＤの点灯、消灯の影響をうけない様な露出制御をおこなっている。
【先行技術文献】
【特許文献】
【０００６】
【特許文献１】特開２０１２−７３５０５号公報
【発明の概要】
【発明が解決しようとする課題】
【０００７】
しかしがなら、特許文献１においては、例えば、ユーザーがオートフォーカス時のみオートフォーカス用補助光としてＬＥＤ照明を点灯させ、撮影時はＬＥＤ照明を消灯して撮影をおこないたい場合（フォーカス時の補助光としては有効だが、撮影時の被写体ライティングには好ましくないと感じるような条件の場合）は、ＬＥＤの点灯状態を変更することが出来ない為、ユーザーの意図した写真をとることが出来ない。又、ユーザーがフォーカス時はＬＥＤｗ照明を消灯し、撮影時のみＬＥＤ照明を点灯させて撮影をおこないたい場合（フォーカス用の補助光としてＬＥＤ照明を点灯させると被写体が逃げてしまうような条件の場合）は、ＬＥＤの点灯状態を変更することが出来ない為、この場合においても、ユーザーの意図した様に写真をとることが出来ない。
【課題を解決するための手段】
【０００８】
上記の課題を解決するために、本発明に係る露出制御装置は、
外部ＳＷ（３）等の操作によりＬＥＤ（２）の点灯／消灯を制御するＬＥＤ制御部（４）と自動焦点制御を行う自動焦点制御部（９）と、自動露出制御を行う自動露出制御部（１２）と、
自動焦点制御時にＬＥＤの点灯／消灯を検知するＬＥＤ点灯状態検知手段（４，２１）と自動焦点制御部により、被写体に合焦した際に測光をおこない、前記測光値を撮影時まで保持させ、その測光値により撮影時の露出制御をおこなう測光モードを備え、
前記測光モードで撮影を行う場合は、撮像直前における測光タイミングのＬＥＤの点灯状態と合焦時のＬＥＤの点灯状態が異なる場合は、再測光をおこない、前記再測光にもとづく露出条件で撮像を行い、又、撮像直前における測光タイミングのＬＥＤの点灯状態と合焦時のＬＥＤの点灯状態が同じである場合は、合焦時の測光値の露出条件で撮影をおこなうことを特徴とする。
【発明の効果】
【０００９】
本発明に係る露出制御装置によれば、撮影用の照明としてだけでなく、オートフォーカス用の補助光としてのＬＥＤ照明を備えたカメラシステムにおいて、外部ＳＷによりユーザーの意図したタイミングで点灯させることが可能であり、点灯状態や測光モードの如何なる条件においても、最適な露出で制御を行うことが可能である。つまり、ユーザーは例えばマクロ撮影等において、被写体の条件に応じてＬＥＤ照明を自由なタイミングで点灯させながら、常に適正な露出条件で撮影を行うことが可能となる。
【図面の簡単な説明】
【００１０】
【図１】本発明の実施形態を示す全体構成図
【図２】本発明の実施形態を示すタイムチャート
【図３】本発明の実施形態を示すフローチャート
【発明を実施するための形態】
【００１１】
以下、本発明を実施するための形態を図面に基づいて説明する。
【実施例１】
【００１２】
図１を用いて本発明の実施形態の構成について説明する。ここでは交換レンズ式の一眼レフカメラを例に説明する。
【００１３】
図１において、１〜４は、レンズ側で構成されるハードウェアであり、６〜２２はカメラ本体側で構成されるハードウェアである。１は撮影レンズであり、２はＬＥＤ照明デバイスであり、ここでは２チップで構成した例である。又、３はＬＥＤ点灯用の外部ＳＷであり、ユーザーが操作することにより、４のマイコンへ割り込み要求をおこなうものであり、ＳＷを押下するたびに、点灯／消灯の状態を繰り返す仕様のＳＷである。４のマイコンは３の外部ＳＷによる要求で、２のＬＥＤ照明デバイスの点灯制御をおこなう。
【００１４】
６は光軸に対して４５度配置したメインミラーであり、撮像時は稼働して、撮像光軸に影響をしない位置に収納される。７はサブミラーであり、８はＡＦ用のメガネレンズであり、９はＡＦセンサーである。メインミラーがダウン位置において、６のメインミラーを透過し、７のサブミラーで反射させ、８のメガネレンズを介して９のＡＦセンサに結像させる。１３はフォーカルプレーンシャッターの先幕であり、１４はフォーカルプレーンシャッターの後幕である。１５は撮像素子であり、ここではＣＭＯＳセンサを想定している。被写体光は、撮像レンズ１、フォーカルプレーンシャッターの先幕１３、フォーカルプレーンシャッターの後幕１４を介して撮像素子１５に結像される。
【００１５】
又、撮像光学系とは別に、一方で、メインミラー６で反射させ、ペンタプリズム１０を介して、更に測光レンズ１１を介して、測光センサ１２に対して結像させる測光光学系がある。又、撮像素子１５で撮像された映像は、ＡＤコンバータ１６を介してＤＳＰ１８で処理を施した後にメモリ１９に取り込まれる。また、１７はタイミングジェネレータでＤＳＰ１８がタイミングジェネレータ１７を制御することで、ＤＳＰ１８と撮像素子１５とＡＤコンバータ１６が同期制御する。又、２０は外部液晶であり、撮像素子１５で撮像した映像を外部に表示させる部材である。
【００１６】
又、２１はカメラ全体を制御するマイコンであり、外部ＳＷ２２は２段のＰｕｓｈ型のＳＷ構造となっており、ユーザーが１段目のＰｕｓｈ操作による撮影要求により、カメラは撮影準備状態の動作となる。具体的には、マイコン２１が測光センサ１２の出力結果より、撮影の露出を決定する。
【００１７】
又、マイコン２１がＡＦセンサ９の結果より、レンズ側のマイコン４と通信し、カメラ側のマイコン２１からの要求をマイコン４が受け取り、マイコン４が撮像レンズ１のフォーカス駆動をおこなう。次に、外部ＳＷ２２の２段目のＰｕｓｈ操作によって撮像動作となる。この２段目の撮影要求により、前記予めきめられた露出となるように、マイコン４を介して、ここでは割愛している、レンズの絞り込動作をおこなうとともに、フォーカルプレーンシャッター１３、１４を動作させ、被写体像を撮像センサ１５に結像させた状態、つまり露光状態を前記予めきめられたシャッター時間だけおこなう。と同時に、マイコン２１はＤＳＰ１８に撮像命令をおこない、ＤＳＰ１８は、ＴＧ１７を制御し撮像素子１５とＡＤコンバータ１６を制御し、撮像画像をＤＳＰ１８を介して１９のＤＲＡＭ等のメモリへ記録する。又、ＤＲＡＭ１９に記録された画像をＤＳＰ１８が画像処理を施し、２０の外部液晶に表示をおこなったり、ここでは割愛しているが、ＳＤカード等の外部メモリに対して記録を行ったりする。
【００１８】
次に、図２、図３を用いて、本発明の実施形態の動作について説明する。
【００１９】
図２では、ユーザーが、ＬＥＤ照明を点灯させる外部ＳＷ３を押下する度に点灯／消灯を繰り返す動作において、ユーザーが撮影要求の外部ＳＷ２２の１段目の押下時（撮影準備状態）に、ＬＥＤ照明を点灯し、ユーザーが撮影要求の外部ＳＷ２２の２段目の押下時（撮像状態）に、ＬＥＤ照明を消灯する場合のタイムチャートを示している。つまり、ＡＦ合焦時と撮像時でＬＥＤ照明の点灯状態が異なり、最終的な撮影時の露出を誤りそうなタイミング例である。
【００２０】
図３では、その具体的な動作についてのフローチャートを示しており、図２、図３を用いて具体的な動作説明をおこなっていく。
【００２１】
まず、ユーザーによる外部ＳＷ３の押下をおこなう（＃１００）。この動作によりマイコン４へ割り込み要求が発生する（＃１０１）。つぎに、マイコン４はＬＥＤ照明２を点灯させる（＃１０２）。又、同時にマイコン４は、カメラ側のマイコン２１に対して、ＬＥＤ照明２の点灯状態を通知する（＃１０３）。次に、本カメラの測光モードの設定が、ＯＮＥ＿ＳＨＯＴ  ＡＦ合焦時に測光値をロックして撮影をおこなう測光モードに設定した場合は、＃１０５〜＃１１４のフローの動作を行う。又、測光値は撮像直前の測光値にもとづいて撮影をおこなう測光モードに設定した場合は、＃１２０〜＃１２８のフローの動作を行う。
【００２２】
まず、ＯＮＥ＿ＳＨＯＴ  ＡＦ合焦時に測光値をロックして撮影をおこなう測光モードに設定した場合は、ユーザーがＳＷ２２の１段目の押下を行うことで（＃１０５）、撮影準備動作に入り、マイコン２１がＡＦセンサ９の出力結果より、マイコン４と通信し、撮像レンズ１を動作させフォーカス駆動をおこなう（＃１０６）。又、マイコン２１は１２の測光センサの出力結果より測光値を算出しその状態を記憶しておく（＃１０７）。この状態において、ユーザーがＬＥＤ照明釦３を押下した時（＃１０８）には、ＬＥＤは消灯制御（＃１０９）をおこなう。又、同時にカメラ側のマイコン２１に消灯状態を通知する（＃１１０）。このタイミングでユーザーが撮影要求の外部ＳＷ２２の２段目を押下（＃１１１）した場合は、マイコン２１が、測光値を記憶したタイミングと、撮像時において、ＬＥＤ照明の点灯状態が異なると判断し（＃１１２）、測光センサ１２において、再度、測光動作をおこない（＃１１３）、その結果にもとづいた露出となるように、フォーカルプレーンシャッター１３、１４の開閉時間、レンズ側の絞りを制御し、撮影を行う（＃１１４）。
【００２３】
一方で、＃１０７の測光値の算出の結果後、ユーザーによる点灯釦の押下がない場合は、＃１１２のフローとなり、撮影準備状態と撮影要求時でＬＥＤ点灯状態が同じである為、再測光することなく、撮影準備段階で記憶した測光値（＃１０７）の結果にもとづいた露出となるように、フォーカルプレーンシャッター１３、１４の開閉時間、レンズ側の絞りを制御し、撮影を行う（＃１１４）。
【００２４】
次に、光値は撮像直前の測光値にもとづいて撮影をおこなう測光モードに設定した場合は、ユーザーがＳＷ２２の１段目の押下を行うことで（＃１２０）、撮影準備動作に入り、マイコン２１がＡＦセンサ９の出力結果より、マイコン４と通信し、撮像レンズ１を動作させフォーカス駆動をおこなう（＃１２１）。又、マイコン２１は１２の測光センサの出力結果より測光値を算出しておく。次に、この状態において、ユーザーがＬＥＤ照明釦３を押下した時（＃１２３）には、ＬＥＤは消灯制御（＃１２４）をおこなう。又、同時にカメラ側のマイコン２１に消灯状態を通知する（＃１２５）。このタイミングでユーザーが撮影要求の外部ＳＷ２２の２段目を押下（＃１２６）した場合は、マイコン２１は、測光センサ１２により再測光をおこない（＃１２７）、その結果にもとづいた露出となるように、フォーカルプレーンシャッター１３、１４の開閉時間、レンズ側の絞りを制御し、撮影を行う（＃１２８）。
【００２５】
以上、説明した様に、ＡＦ合焦時の測光値を撮像する迄ロックするモードにおいて、上記説明した様な、ユーザーが、ＡＦ合焦時と撮像時でＬＥＤ照明の点灯状態を変更した場合においても、適切な露出量で撮影をおこなうことが可能となる動作例を示した。
【符号の説明】
【００２６】
１  撮像レンズ、２  ＬＥＤ照明、３  ＬＥＤ点灯ＳＷ、４  レンズ側のマイコン、
６  メインミラー、７  サブミラー、８  ＡＦ用メガネレンズ、９  ＡＦセンサ、
１０  ペンタプリズム、１１  測光レンズ、１２  測光センサ、
１３  フォーカルプレーンシャッター先幕、１４  フォーカルプレーンシャッター後幕、
１５  撮像素子、１６  ＡＤコンバータ、１７  タイミングジェネレータ、
１８  ＤＳＰ、１９  メモリ、２０  外部液晶、２１  カメラ側のマイコン、
２２  ２段構成の外部ＳＷ、３０  ＬＥＤ点灯用ＳＷ信号、３１  ＬＥＤ点灯信号、
３２  外部ＳＷ２２の１段目の信号、３３  外部ＳＷ２２の２段目の信号、
３４  ＯＮＥ  ＳＨＯＴ合焦タイミング信号、３５  測光タイミング信号、
３６  撮像タイミング信号
【図１】
2017125981.tif 000003
【図２】
2017125981.tif 000004
【図３】
2017125981.tif 000005